(57)【特許請求の範囲】
【請求項１】
各間仕切パネルの一側端の上下角部に固定された連結用ブロックと、この各連結用ブロックに着脱可能に取付けられる連結金具とにより、隣接する複数の間仕切パネルの一側端部同士を、その連結角度を変更可能に連結するよう構成してなる間仕切パネルの連結装置において、
前記各連結金具には、水平方向に延びる１つのアーム部と、該アーム部から下向きに突出する係合爪及び逆円弧状の規制突起とからなる係合手段が設けられ、
前記各連結用ブロックには、他方の間仕切パネルの縦軸線の回りに水平回動可能に装着された前記連結金具における前記係合手段の水平回動位置が選択的に係止できるようにする第２連結作用部と、前記一方の間仕切パネルに装着された連結金具の係合手段が嵌まり、且つこの連結金具におけるアーム部の向きが当該取付けられている間仕切パネルの幅内に位置して回動しないように規制する装着孔が設けられ、
他方の間仕切パネルにおける連結用ブロックに装着された他方の連結金具のアーム部を前記一方の間仕切パネルにおける連結用ブロックに跨がらせ且つこのアーム部における係合手段が前記第２連結作用部に選択的に係止するように配置し、
この一方の間仕切パネルにおける連結用ブロックと、これに装着されて前記装着孔に前記係合手段が嵌まって回動しないように規制された連結金具とで前記他方の連結金具のアーム部を挟持固定するように構成したことを特徴とする間仕切パネルの連結装置。
【請求項２】
前記第２連結作用部に対してこれと同心状で半径内寄りに第１連結作用部が形成され、
前記第１連結作用部は、当該連結用ブロックに基部が水平回動可能に装着された連結金具の水平回動位置を選択的に係止できるように構成し、前記第２連結作用部は、連接する他方の連結用ブロックに基部が水平回動可能に装着された連結金具の係合手段が選択的に係止することにより両連結金具の水平連結位置を変更調節するように構成されていることを特徴とする請求項１に記載の間仕切パネルの連結装置。
【請求項３】
前記上下両連結金具は、間仕切パネルの一側縦縁に沿って配置されている連動手段を介して一体的に水平回動するように構成されていることを特徴とする請求項１または２に記載の間仕切パネルの連結装置。
【請求項４】
前記連動手段は、前記上下両連結金具を、前記上下両連結用ブロックにおける第１連結作用部及び第２連結作用部の両方に係合する高さと、第１連結作用部との係合が外れ且つ第２連結作用部にのみ係合する高さと、第１連結作用部及び第２連結作用部の両方の係合が外れる高さとに選択的に高さ位置変更可能に構成されていることを特徴とする請求項３に記載の間仕切パネルの連結装置。
【請求項５】
前記隣接する間仕切パネルの間に縦方向に延びるように配設された連結杆の両端に、連結用ブロックが固定され、この連結杆における各連結用ブロックに、前記連結金具における係合手段が嵌まり係合する係合部が、縦軸線の回りに複数個設けられていることを特徴とする請求項１乃至４のいずれかに記載の間仕切パネルの連結装置。
【請求項６】
各間仕切パネルの一側端の上下角部に固定された連結用ブロックと、この各連結用ブロックに着脱可能に取付けられる連結金具と、前記隣接する間仕切パネルに跨がって配置される連結体とにより、隣接する複数の間仕切パネルの一側端部同士を、その連結角度を変更可能に連結するよう構成してなる間仕切パネルの連結装置において、
前記各連結金具には、水平方向に延びる１つのアーム部と、該アーム部から下向きに突出する係合爪及び逆円弧状の規制突起とからなる係合手段が設けられ、
前記各連結用ブロックには、前記各間仕切パネルに装着された連結金具の係合手段が嵌まり、且つこの連結金具におけるアーム部の向きが当該取付けられている間仕切パネルの幅内に位置して回動しないように規制する装着孔が設けられ、
前記連結体には、前記隣接する両間仕切パネルの連結用ブロック又は両連結金具に縦軸線を中心とするように形成された円弧状溝に摺動自在に嵌まり係合する一対の係合爪が一体的に設けられ、
前記隣接する両間仕切パネルにおける連結用ブロックと、これに装着されて前記装着孔に前記係合手段が嵌まって回動しないように規制された連結金具とで、前記連結体における一対の係合爪を挟持固定するように構成したことを特徴とする間仕切パネルの連結装置。
【請求項７】
前記各連結金具の外周に、隣接する間仕切パネル間で互いに噛合する歯車部が設けられ、各間仕切パネルの上下における連結金具の相互間が、互いに連動して回転するように連結されていることを特徴とする請求項６に記載の間仕切パネルの連結装置。
【発明の詳細な説明】
【０００１】
【発明の属する技術分野】
本発明は、複数の間仕切パネルを、平面視で直線状、Ｌ字状、Ｔ字状、Ｙ字状十字状等に任意の連結角度に組み換え、連結できるようにした間仕切パネルの連結装置の構造に関するものである。
【０００２】
【従来の技術】
従来から、オフィス等で使用されるパーティション等としての複数の間仕切パネルを、前記のように平面視で直線状、Ｌ字状、Ｔ字状、Ｙ字状や十字状等に任意に連結するための構造は種々考案されている。
【０００３】
例えば、先行技術としての特開平９−９６０３０号公報には、各パネルにおける左端または右端の上下部位に丸孔付き取付金具を水平突設する一方、平面視形状が眼鏡（８字状）状や花弁状に形成され、孔を２〜４個穿設した上部固定具を、前記上の取付金具に嵌挿した中心軸の上端に設けた円柱状で上端に雌ねじ部が刻設された取付け部にビスを介して螺着し、同じく平面視形状が眼鏡（８字状）状や花弁状に形成され、上部に雌ねじ部を２〜４個刻設した下部固定具に、前記中心軸の下端部に設けた雄ねじ部を螺着した構成が開示されている。
【０００４】
【発明が解決しようとする課題】
前記先行技術の構成によれば、２つのパネルを１箇所で直線状やＬ字状等に連結するときには、平面視形状が眼鏡（８字状）状の上下の固定具を使用し、３つのパネルを１箇所でＴ字状やＹ字状に連結するには、平面視形状が３花弁（三叉花弁）状の上下の固定具を使用する。そして、４つのパネルを１箇所で十字状等に連結するには、平面視形状が十字花弁状の上下の固定具を使用するというように、連結すべきパネルの数に応じて準備すべき固定具の種類を変更しなければならず、在庫すべき部品の種類が多くなってしまうという問題があった。
【０００５】
また、上下固定具と中心軸との装着手段は単なるねじ部による螺着であるので、複数のパネルの連結間の平面視での連結角度を固定させて安定することが困難であるという問題もあった。
【０００６】
本発明は、前記従来の問題点を解決すべくなされたものであって、部品を共通化できて必要部品の少ないもとで、回動角度を任意に設定した状態で安定させることができる間仕切パネルの連結装置を提供することを技術的課題とするものである。
【０００７】
【課題を解決するための手段】
前記技術的課題を達成するために、請求項１に記載の発明の間仕切パネルの連結装置は、各間仕切パネルの一側端の上下角部に固定された連結用ブロックと、この各連結用ブロックに着脱可能に取付けられる連結金具とにより、隣接する複数の間仕切パネルの一側端部同士を、その連結角度を変更可能に連結するよう構成してなる間仕切パネルの連結装置において、前記各連結金具には、水平方向に延びる１つのアーム部と、該アーム部から下向きに突出する係合爪及び逆円弧状の規制突起とからなる係合手段が設けられ、前記各連結用ブロックには、他方の間仕切パネルの縦軸線の回りに水平回動可能に装着された前記連結金具における前記係合手段の水平回動位置が選択的に係止できるようにする第２連結作用部と、前記一方の間仕切パネルに装着された連結金具の係合手段が嵌まり、且つこの連結金具におけるアーム部の向きが当該取付けられている間仕切パネルの幅内に位置して回動しないように規制する装着孔が設けられ、他方の間仕切パネルにおける連結用ブロックに装着された他方の連結金具のアーム部を前記一方の間仕切パネルにおける連結用ブロックに跨がらせ且つこのアーム部における係合手段が前記第２連結作用部に選択的に係止するように配置し、この一方の間仕切パネルにおける連結用ブロックと、これに装着されて前記装着孔に前記係合手段が嵌まって回動しないように規制された連結金具とで前記他方の連結金具のアーム部を挟持固定するように構成したものである。
【０００８】
また、請求項２に記載の発明は、請求項１に記載の間仕切パネルの連結装置において、前記第２連結作用部に対してこれと同心状で半径内寄りに第１連結作用部が形成され、
前記第１連結作用部は、当該連結用ブロックに基部が水平回動可能に装着された連結金具の水平回動位置を選択的に係止できるように構成し、前記第２連結作用部は、連接する他方の連結用ブロックに基部が水平回動可能に装着された連結金具の係合手段が選択的に係止することにより両連結金具の水平連結位置を変更調節するように構成されているものである。
【０００９】
そして、請求項３に記載の発明は、請求項１または２に記載の間仕切パネルの連結装置において、前記上下両連結金具は、間仕切パネルの一側縦縁に沿って配置されている連動手段を介して一体的に水平回動するように構成されているものである。
【００１０】
請求項４に記載の発明は、請求項３に記載の間仕切パネルの連結装置において、前記連動手段は、前記上下両連結金具を、前記上下両連結用ブロックにおける第１連結作用部及び第２連結作用部の両方に係合する高さと、第１連結作用部との係合が外れ且つ第２連結作用部にのみ係合する高さと、第１連結作用部及び第２連結作用部の両方の係合が外れる高さとに選択的に高さ位置変更可能に構成されているものである。
【００１１】
請求項５に記載の発明は、請求項１乃至４のいずれかに記載の間仕切パネルの連結装置において、前記隣接する間仕切パネルの間に縦方向に延びるように配設された連結杆の両端に、連結用ブロックが固定され、この連結杆における各連結用ブロックに、前記連結金具における係合手段が嵌まり係合する係合部が、縦軸線の回りに複数個設けられているものである。
【００１２】
請求項６に記載の発明の間仕切パネルの連結装置は、各間仕切パネルの一側端の上下角部に固定された連結用ブロックと、この各連結用ブロックに着脱可能に取付けられる連結金具と、前記隣接する間仕切パネルに跨がって配置される連結体とにより、隣接する複数の間仕切パネルの一側端部同士を、その連結角度を変更可能に連結するよう構成してなる間仕切パネルの連結装置において、前記各連結金具には、水平方向に延びる１つのアーム部と、該アーム部から下向きに突出する係合爪及び逆円弧状の規制突起とからなる係合手段が設けられ、前記各連結用ブロックには、前記各間仕切パネルに装着された連結金具の係合手段が嵌まり、且つこの連結金具におけるアーム部の向きが当該取付けられている間仕切パネルの幅内に位置して回動しないように規制する装着孔が設けられ、前記連結体には、前記隣接する両間仕切パネルの連結用ブロック又は両連結金具に縦軸線を中心とするように形成された円弧状溝に摺動自在に嵌まり係合する一対の係合爪が一体的に設けられ、前記隣接する両間仕切パネルにおける連結用ブロックと、これに装着されて前記装着孔に前記係合手段が嵌まって回動しないように規制された連結金具とで、前記連結体における一対の係合爪を挟持固定するように構成したものである。
【００１３】
請求項７に記載の発明は、請求項６に記載の間仕切パネルの連結装置において、前記各連結金具の外周に、隣接する間仕切パネル間で互いに噛合する歯車部が設けられ、各間仕切パネルの上下における連結金具の相互間が、互いに連動して回転するように連結されているものである。
【００１４】
【発明の実施の形態】
次に、本発明を具体化した実施形態について説明する。
【００１５】
図１〜図１４は、第１の実施の形態を示す。
【００１６】
これら図のうち図１は本発明に係る間仕切パネルの斜視図、図２はパネル要素等の一部切欠き斜視図、図３は間仕切パネルの一部切欠き縦断面図、図４は間仕切パネルの一部切欠き側断面図、図１０は隣接する２つの間仕切パネルの連結部を示す一部切欠き側断面図である。
【００１７】
第１の実施の形態に係る間仕切パネル１は、正面視矩形状の複数のパネル要素２ａ，２ｂを上下方向に一列状に積み上げて並べた状態で外れないように連結したものであり、オフィスの室で床面に設置できるようにしたパーティションを含む。
【００１８】
ここで、パネル要素は、表面に織布が張設されたクロスパネル、金属薄板に多数の目抜き孔が形成されたパンチング板パネル、採光用等のためのガラス板パネルや透明板パネル、表面側に棚板用ブラケットや吊り下げ用フックを着脱自在に係止できるハンガーパネル等をいう。
【００１９】
第１の実施の形態における各パネル要素２ａ，２ｂのうち第１のパネル要素２ａは、金属薄板製の表裏両表面板３，３の間に紙製等のハニカム構造の芯材４を挟んでホットメルト接着剤で接着固定し、表面板３，３の外面側にクロス（織布）等の表装材（図示しない）を張設してなる。
【００２０】
この第１のパネル要素２ａの左右両側縁には、前記両表面板３，３の端部を内向きにＬ字状に折り曲げて、幅寸法略Ｈ１の隙間７を形成する（図２参照）と共に、前記隙間７と同一線上で同じ幅（Ｈ１）の縦凹溝６を左右外向きに有するアルミ押し出し材もしくは金属板の折曲材等の断面コ字型の縦枠５，５を前記表面板３，３の内面に接着剤もしくはスポット溶接で固定する（図２及び図５参照）。該パネル要素２ａの上下両側縁には、前記両表面板３，３の上下端部を内向きにＬ字状に折り曲げて、幅寸法略Ｈ２の上下外向きの横凹溝９が形成される。
【００２１】
前記各パネル要素２ａ，２ｂのうち第２のパネル要素２ｂは、採光のための半透明又は透明な表裏両アクリル樹脂板１０，１０の左右両側縁を内向き湾曲状に形成し、縦長のアルミ押し出し材等の略断面コ字型の縦枠１１，１１を前記アクリル樹脂板１０，１０の左右両側端部の内面に接着剤で固定する（図２及び図６参照）。この各縦枠１１にも前記と同じ幅（Ｈ１）の縦凹溝１２が左右外向きに形成されている。
【００２２】
前記両アクリル樹脂板１０，１０の上下両端部の内面に横長のアルミ押し出し材等の横枠１３，１３を嵌め入れ、各横枠１３の端面に前記縦枠１１の内面を当接し、横枠１３の筒状リブ部１３ａにネジ１５止めする。各横枠１３には、第２のパネル要素２ｂの上下両側縁、即ち両アクリル樹脂板１０，１０の上下両端部の内面の間にて幅寸法略Ｈ２の上下外向きの横凹溝１４が形成される（図２、図４、図７参照）。アクリル樹脂板１０に代えて、他の合成樹脂材の板もしくはガラス板であっても良い。前記第１及び第２のパネル要素２ａ，２ｂの厚さ寸法Ｈ３は略同じである。
【００２３】
そして、最上位置である第２のパネル要素２ｂにおける上側縁の横凹溝１４には、左右両側端に連結用ブロック１７，１７を備えた笠木１６を嵌合し、最下位置のパネル要素２ａにおける下側縁の横凹溝９には、左右両側端に同じく連結用ブロック１７，１７を備えた巾木１９を嵌合し、前記最上位置から最下位置までの複数の各パネル要素２ｂ，２ａにおける左右両側の縦枠１１，５には、その各縦凹溝１２，６に嵌まるように左右両縦端フレーム２０，２０を添設し、各縦端フレーム２０の上下端と、前記笠木１６及び巾木１９とを、前記各連結用ブロック１７を介して連結固定したものである。
【００２４】
図１、図３、及び図４を参照して理解できるように、笠木１６及び巾木１９には、各々前記横凹溝１４，９に嵌合し得る断面角筒状の突条２１が一体的に形成されておれば足り、本実施形態において、同じ断面形状のアルミ押し出し材を利用している（図４参照）が、前記横凹溝１４，９に嵌合できる突条２１を有するかぎり、異なる断面形状であっても良い。さらに、笠木１６及び巾木１９には、各パネル要素２ａ，２ｂの表裏両面側にて水平方向に長く開口するレール部２２，２２が形成されている。
【００２５】
前記笠木１６及び巾木１９の両端に固定し、且つ各縦端フレーム２０と連結するためのアルミダイカスト製もしくは合成樹脂製等の連結用ブロック１７は、図３、図７及び図８に示すように、前記レール部２２，２２の間の中空枠２３内に嵌合できる基部２４とそれに続いて先端方向に突出する連結作用部２５とから構成されている。図７に示すように、前記基部２４を前記笠木１６及び巾木１９の中空枠２３内に嵌合した後、複数本のタッピングネジ等の取付けネジ２６にて予め螺着されている。取付けネジ２６の挿入方向は笠木１６の下面等、間仕切パネル１を組み立てた場合、取付けネジ２６の頭が外から見えない方向とする。前記連結作用部２５には、縦端フレーム２０との取付け孔部２７が形成されている。
【００２６】
第１の実施の形態において、連結用ブロック１７は、間仕切パネル１の左右及び上下の部位で共用するため、同一形状に形成されている。
【００２７】
縦端フレーム２０は、図２、図３、図５、図６及び図７に示すごとく、アルミ押し出し材もしくは合成樹脂製押し出し材にて断面中空略矩形状に形成され、内寄り部位には筒部２８が一体成形されている。
【００２８】
間仕切パネル１を組み立てる場合、図２に示すように、複数のパネル要素２ｂ，２ａを上下に並べ、上下に隣接するパネル要素２ａ，２ｂの相対向する横凹溝１４，９に、断面中空略矩形状の連結用補助横梁２９を差し込み嵌合する。これにより、隣接するパネル要素２ａ，２ｂは厚さ方向にずれないように保持することができる。なお、パネル要素２ａ，２ｂが上下方向及び水平方向にずれないようにするため、パネル要素２ａ，２ｂにおける縦枠５，１１の外面から前記連結用補助横梁２９の両端に溶接された部材３０にタッピングネジ等の取付けネジ３１にて螺着する（図３参照）。
【００２９】
次いで、上下に並んだパネル要素２ｂ，２ａの左右両側の縦凹溝１２及び隙間７を介して縦端フレーム２０を差し込み（図２参照）、縦枠１１，５に嵌合するのである（図５及び図６参照）。そして、左右両縦端フレーム２０の上下端面に前記各連結用ブロック１７を当接し、取付け孔部２７を介してタッピングネジ等の取付けネジ３２にて螺着して固定するのである。
【００３０】
前記巾木１９では、前記連結用ブロック１７に予め形成された雌ねじ部３３にアジャスタボルト３４を螺合させて、高さ調節可能としている。上側（笠木側）の連結用ブロック１７の雌ねじ部３３は、通常埋めボルト３９にて塞いでいるが、図１に示すように、オプションとしての半透明のスクリーン板４０を立設するための一対の補助支柱４１の基端ネジ部を螺着して立設し、各補助支柱４１に被嵌したブラケット４２にてスクリーン板４０の端部をネジ止めする。
【００３１】
次に、前記上下の連結用ブロック１７，１７及び連結金具３５，３５を利用して、複数枚の間仕切パネル装置１を平面視直線状、Ｌ字状、Ｔ字状、十字状等にて任意の連結角度で連結する連結装置の構成について説明する。
【００３２】
図７及び図９に示すように、平面視でほぼ円筒状に構成した連結金具３５には、基部円筒４３を下向きに突設し、該基部円筒４３の内径（非円形孔４３ａ）に連結用雌ねじ部３７が回転不能であるが一定深さまで上下摺動可能に嵌まるように構成する。そして、前記連結金具３５の下面には、前記基部円筒４３の外径より大きい円弧部位に半径外方向（放射状）に延びる鋸歯４４を円周方向に適宜間隔にて形成し、さらに、前記連結金具３５の一側には前記鋸歯４４の位置より半径外側にのびるアーム部３５ａを一体的に形成し、該アーム部３５ａには、下向きに突出する係合爪４５と逆円弧状の規制突起４８とを形成した係合手段を設ける（図７及び図９参照）。
【００３３】
即ち、前記係合手段は、連接する一方の連結用ブロック１７に基部円筒４３が回動可能に嵌挿された連結金具３５の一側から延び、且つ連接する他方の連結用ブロック１７に跨がるようにしたアーム部３５ａの先端部に設けられる。
【００３４】
前記各連結用ブロック１７の連結作用部２５には、前記連結金具３５の基部円筒４３が嵌まって回転可能とする嵌挿孔４６を穿設する。そして、該連結作用部２５は、第１連結作用部と、これと同心状で半径外寄りに形成された第２連結作用部とからなり、第１連結作用部は、当該連結用ブロック１７に、基部である基部円筒４３が水平回動可能に嵌挿された連結金具３５の水平回動位置を選択的に係止できるように、前記嵌挿孔４６より外周の円弧部位に、半径外方向（放射状）に延びて前記鋸歯４４に係合し得る歯面４７を形成する（図７及び図８参照）。
【００３５】
前記第２連結作用部は、連接する他方の連結用ブロック１７に基部円筒４３が水平回動可能に嵌挿された連結金具３５における前記の係合手段が選択的に係止するべく、前記円弧部位の歯面４７より半径外側には、円弧状溝４９と、これに連通する係合溝５０とを前記歯面４７より深い位置に形成する（図７及び図８参照）。この場合、図７を参照して理解できるように、第１連結作用部としての歯面４７の噛合深さ寸法（鋸歯４４に係合し得る深さ寸法）ｔ１よりも、第２連結作用部としての係合溝５０の係合深さ寸法（係合爪４５に係合し得る深さ寸法）ｔ２が大きくなるように設定されている。
【００３６】
また、第１の実施の形態としては、前記係合溝５０は、図８に示すように、平面視で前記嵌挿孔４６の軸心回りに略４５度の間隔にて間仕切パネル１の先端部側に１８０度の範囲で５つ形成されており、隣接する間仕切パネル１における連結金具３５の係合爪４５が係止し得るものであり、円弧状溝４９には前記規制突起４８が摺動自在に嵌まるように構成されているものである。
【００３７】
なお、前記取付け孔部２７の近傍には、１つの連結用ブロック１７の連結作用部２５に装着されている連結金具３５の規制突起４８及び係合爪４５が嵌まって回動しないように規制できる装着孔５１が穿設されている。
【００３８】
さらに、前記上下両連結金具３５，３５を一体的に水平回動させるための連動手段は、上下両連結金具３５，３５の各非円形孔４３ａに回動不能に嵌合した連結用雌ねじ部３７と、前記縦端フレーム２０内に上下に挿通するロッド３６の上下端とを六角孔付きボルト３８を介して連結したものである（図７及び図１０参照）。
【００３９】
前記の構成により、例えば、図１１（ａ）に示すように、２つの間仕切パネル１ａ，１ｂ（複数の間仕切パネルを各々区別するために添え字を付す、以下同じ）を平面視で１直線状に連結する場合、図１０に示すように、他方（第２）の間仕切パネル１ｂにおける上下連結用ブロック１７，１７の各嵌挿孔４６に基部円筒４３を嵌め入れた上下各連結金具３５のアーム部３５ａを、一方（第１）の間仕切パネル１ａにおける上下連結用ブロック１７，１７の先端方向に延ばし、図８において中央部に位置する一つの係合溝５０に係合爪４５を嵌め入れる。この状態で、前記第１の間仕切パネル１ａにおける上下連結用ブロック１７，１７の装着孔５１，５１に上下連結金具３５，３５の各規制突起４８及び係合爪４５を嵌め入れ、且つ基部円筒４３を嵌挿孔４６に嵌め入れると、前記隣接する２つの連結用ブロック１７，１７に跨いだアーム部３５ａは、前記第１の間仕切パネル１ａにおける連結用ブロック１７の連結作用部２５と、それに装着されている連結金具３５との隙間に嵌まった状態となる（図１０参照）。
【００４０】
そして、各間仕切パネル１ａ，１ｂにおける上下両連結金具３５，３５が上下に浮き移動しないように、当該上下連結金具３５，３５と、縦端フレーム２０内に上下に挿通するロッド３６の上下端に固定された連結用雌ねじ部３７とを、六角孔付きボルト３８を介して締着するのである（図１０参照）。
【００４１】
前記姿勢では、第２の間仕切パネル１ｂに装着された上下両連結金具３５，３５の各鋸歯４４が、第１の間仕切パネル１ａにおける第１連結作用部である歯面４７に係合し、且つ各係合爪４５も第２連結作用部である係合溝５０に係合し、両間仕切パネル１ａ，１ｂは平面視で１直線状のまま左右には屈曲しないで連結されるのである。
【００４２】
上記の状態で、図１２に示すように、前記連結箇所（両間仕切パネル１ａ，１ｂ）の上下両連結金具３５，３５の上下間隔をｔ１×２だけ大きくするように、上下の六角孔付きボルト３８，３８を緩めると、第１の間仕切パネル１ａにおける上下連結金具３５，３５の各規制突起４８及び係合爪４５は、その下向き突出量が大きいので、装着孔５１に嵌まったまま左右回動しないが、第２の間仕切パネル１ｂに装着された上下両連結金具３５，３５の各鋸歯４４は、当該箇所で対面する第１連結作用部である歯面４７から浮き上がり、図１１（ｂ）に示すように、第２の間仕切パネル１ｂのみがロッド３６（六角孔付きボルト３８）の軸線回りに適宜角度（実施形態では略１８０度）水平回動可能となるから、ユーザ（作業者）は、第１の間仕切パネル１ａに対する第２の間仕切パネル１ｂの水平屈曲角度を所望の値にセットしてから、再度六角孔付きボルト３８を締めつければ、図１０に示すように上下の連結金具３５，３５は回動不能となる。
【００４３】
図１１（ｃ）は、第２の間仕切パネル１ｂにおける上下連結金具３５，３５の各アーム部３５ａが第１の間仕切パネル１ａにおける広幅面と直交するように延ばして、該広幅面に近い位置の第２連結作用部である係合溝５０に係合爪４５を係止させた状態を示す。この場合、両間仕切パネル１ａ，１ｂの上下連結金具３５，３５の上下間隔をｔ２×２だけ大きくするように、上下の六角孔付きボルト３８，３８を緩めると、少なくとも第２の間仕切パネル１ｂに装着された上下両連結金具３５，３５の各係合爪４５が第１の間仕切パネル１ａ側の第２連結作用部である係合溝５０から外れるが、各規制突起４８は円弧状溝４９に沿って回動し得るので、前記の位相箇所の係合溝５０に係合爪４５を位置させてから、再度六角孔付きボルト３８を締めつければ良いのである。
【００４４】
図１１（ｃ）においても上述のように第２の間仕切パネル１ｂのみがロッド３６（六角孔付きボルト３８）の軸線回りに適宜角度（実施形態では略１８０度）水平回動可能となる。
【００４５】
図１１（ｄ）は、第１の間仕切パネル１ａの広幅面に対して第２の間仕切パネル１ｂを略１２０度屈曲させてセットした状態を示す。
【００４６】
図１３（ａ）及び図１３（ｃ）は、３つの間仕切パネル１を平面視でＴ字状に連結した実施形態を示し、図１３（ａ）の実施形態では、第１、第２の間仕切パネル１ａ，１ｂは平面視で１直線状で連結し、第３の間仕切パネル１ｃを第１の間仕切パネル１ａに平面視で直交するように連結した状態を示す。
【００４７】
第１の間仕切パネル１ａの連結金具３５の周りの所定位置の係合溝５０，５０に第２、第３の間仕切パネル１ｂ、１ｃの連結金具３５を連結して平面視でＴ字状に連結したものが図１３（ｃ）の実施形態であり、平面視で略Ｙ字状に連結させたものが図１３（ｂ）のようになる。
【００４８】
図１３（ａ）〜図１３（ｃ）のいずれにおいても、第２、第３の間仕切パネル１ｂ，１ｃ自体をそのロッド３６（六角孔付きボルト３８）の軸線回りに適宜角度（実施形態では略１８０度）水平回動させることができる。
【００４９】
図１４（ａ）〜図１４（ｄ）は、連結の変形例を示すもので、これは、４つの間仕切パネル１にて平面視で十字状に連結する場合を示し、図１４（ａ）〜図１４（ｃ）の各実施形態では、連結金具３５が回動不能に装着された第１の間仕切パネル１ａに対して、第２、第３の間仕切パネル１ｂ，１ｃを装着し、この第３の間仕切パネル１ｃに第４の間仕切パネル１ｄを連結するのであるが、複数の連結金具３５の配置関係はそれぞれ異なる。図１４（ｄ）に示す実施形態では、連結金具３５が回動不能に装着された第１の間仕切パネル１ａに対して、第２、第３、第４の間仕切パネル１ｂ，１ｃ，１ｄを装着したものである。上記各変形の連結例では、第２、第３、第４の間仕切パネル１ｂ，１ｃ，１ｄ自体をそのロッド３６（六角孔付きボルト３８）の軸線回りに適宜角度（実施形態では略１８０度）水平回動させることができる。
【００５０】
なお、前述するように上下一対の連結金具３５，３５を連動して一体的に回動させるための連動機構を利用して、上下連結用ブロック１７，１７と縦端フレーム２０との連結強度を高めることができる。即ち、前記各連結用ブロック１７における連結作用部２５に脱落不能に嵌挿し得る連結金具３５と、縦端フレーム２０内に上下に挿通するロッド３６の上下端に固定された連結用雌ねじ部３７，３７とを、六角孔付きボルト３８を介して締着するのである。
【００５１】
また、図１に示すように、一方の間仕切パネル装置１の幅方向の任意の位置に、他方の間仕切パネル装置１をスライド可能に連結できるように構成すると共に、且つ平面視で一方の間仕切パネル装置１の幅方向と平行状から直交する方向まで屈曲可能に、他方の間仕切パネル装置１を連結するには、この他方の間仕切パネル装置１の一端の上下連結金具３５，３５の一側端に設けたコロ（図示せず）を、前記一方の間仕切パネル装置１の笠木１６と巾木１９のレール部２２に転動自在に嵌挿すれば良い。
【００５２】
１つの間仕切パネル１において、前記パネル要素は、透光パネルやクロス張りパネルの他、前述のパンチング板パネル、ハンガーパネルを上下方向に３段以上積み重ねても良い。
【００５３】
次に、図１５〜図２３は、第２の実施の形態を示す。
【００５４】
この第２の実施の形態は、以下に述べる点を除き前記第１の実施の形態と略同様の構成である。
【００５５】
この第２の実施の形態における一つの間仕切パネル１ａ′は、図１５〜図１７に示すように、内部に縦端フレーム２０′を内蔵した縦枠１１′の上下両端間を、横枠１３′にて連結して枠型に構成し、その表裏両面に、透明なアクリル樹脂板１０′を装填にして成るパネル要素を構成する。
【００５６】
なお、このアクリル樹脂板１０′に代えて、多数個の孔を穿設したパンチングメタル、又は、表面を黒板として使用できるホワイトボートを装填するようにしても良いが、表裏両面をパンチングメタルにする場合には、この両パンチングメタルの間を、上下方向に適宜間隔で配設した横桟枠にて連結する。また、表裏両面をホワイトボートにする場合には、この両ホワイトボートの間に、ハニカム構造等の芯材（コア）を充填する。
【００５７】
前記パネル要素における上下両横枠１３′のうち上部横枠１３′の上面に、左右両側面に長手方向に延びるレール部２２′が開口した笠木１６′を、下部横枠１３′の下面に、同じく左右両側面に長手方向に延びるレール部２２′が開口した巾木１９′が各々添設して、これら笠木１６′及び巾木１９′の両端に、前記第１の実施の形態と同様に、前記縦端フレーム２０′に対して取付けネジ３２′にてねじ止めされる連結用ブロック１７′を固着した構成になっている。
【００５８】
この各連結用ブロック１７′は、図１５、図１８及び図１９に示すように、前記レール部２２′，２２′の間の中空枠２３′内に嵌合できる基部２４′とそれに続いて先端方向に突出する連結作用部２５′とから構成されている。
【００５９】
また、前記巾木１９′においては、これに固着した連結用ブロック１７′に、アジャスタボルト３４′を螺合させて、高さ調節可能に構成している。
【００６０】
図１８及び図２０に示すように、平面視でほぼ円筒状に構成した連結金具３５′には、基部円筒４３′を下向きに突設し、該基部円筒４３′の内径（非円形孔４３ａ′）に、前記縦端フレーム２０′内に縦方向に挿入したロッド３６′の両端における連結用雌ねじ部３７′が回転不能であるが一定深さまで上下摺動可能に嵌まるように構成する。
【００６１】
そして、前記連結金具３５′は、これを前記ロッド３６′の両端における連結用雌ねじ部３７′に対して、これに被嵌したのち、六角孔付きボルト３８′にて締結される。また、この連結金具３５′の下面には、前記基部円筒４３′の外径より大きい円弧部位に半径外方向（放射状）に延びる鋸歯４４′を円周方向に適宜間隔にて形成し、さらに、前記連結金具３５′の一側には前記鋸歯４４′の位置より半径外側にのびるアーム部３５ａ′を一体的に形成し、該アーム部３５ａ′には、下向きに突出する係合爪４５′を有する係合手段を設ける（図１８及び図２０参照）。
【００６２】
即ち、前記係合手段は、連接する一方の連結用ブロック１７′に基部円筒４３′が回動可能に嵌挿された連結金具３５′の一側から延び、且つ連接する他方の連結用ブロック１７′に跨がるようにしたアーム部３５ａ′の先端部に設けられる。
【００６３】
前記各連結用ブロック１７′の連結作用部２５′は、第１連結作用部と、これと同心状で半径外寄りに形成された第２連結作用部とからなり、第１連結作用部は、当該連結用ブロック１７′に、基部である基部円筒４３′が水平回動可能に嵌挿された連結金具３５′の水平回動位置を選択的に係止できるように、前記嵌挿孔４６′より外周の円弧部位に、半径外方向（放射状）に延びて前記鋸歯４４′に係合し得る歯面４７′を形成する（図１８及び図１９参照）。
【００６４】
前記第２連結作用部は、連接する他方の連結用ブロック１７′に基部円筒４３′が水平回動可能に嵌挿された連結金具３５′における前記の係合手段が選択的に係止するべく、前記円弧部位の歯面４７′より半径外側には、係合溝５０′を前記歯面４７′より深い位置に形成する（図１８及び図１９参照）。この場合、図１８を参照して理解できるように、第１連結作用部としての歯面４７′の噛合深さ寸法（鋸歯４４′に係合し得る深さ寸法）ｔ１よりも、第２連結作用部としての係合溝５０′の係合深さ寸法（係合爪４５′に係合し得る深さ寸法）ｔ２を大きくなるように設定されている。
【００６５】
また、この第２の実施の形態としては、前記係合溝５０′は、図１９に示すように、平面視で前記嵌挿孔４６′の軸心回りに略９０度の間隔にて間仕切パネル１′の先端部側に１８０度の範囲で三つだけ形成されており、隣接する間仕切パネル１ｂ′（後述する）における連結金具３５′の係合爪４５′が係止し得るものである。
【００６６】
一方、前記隣接する間仕切パネル１ｂ′は、図２１、図２２及び図２３に示すように、前記実施の形態における縦枠１１′及び横枠１３′を省略し、表面にクロス（織布）等の表装材（図示しない）を張設した二枚の金属板３′，３′の間を紙製等のハニカム構造の芯材４′にて連結した固着して成るパネル要素として、このパネル要素に対して、前記と同様に笠木１６′、巾木１９′及び縦端フレーム２０′を装着するとともに、連結用ブロック１７′、連結金具３５′及びロッド３６′等を装着した構造である。
【００６７】
この構成により、２つの間仕切パネル１ａ′，１ｂ′を、図１２に示すように、平面視で１直線状に連結する場合、他方（第２）の間仕切パネル１ｂ′における上下連結用ブロック１７′，１７′の各嵌挿孔４６′に基部円筒４３′を嵌め入れた上下各連結金具３５′のアーム部３５ａ′を、一方（第１）の間仕切パネル１ａ′における上下連結用ブロック１７′，１７′の先端方向に延ばし、図１９において中央部に位置する一つの係合溝５０′に係合爪４５′を嵌め入れる。この状態で、基部円筒４３を嵌挿孔４６に嵌め入れると、前記隣接する２つの連結用ブロック１７′，１７′に跨いだアーム部３５ａ′は、前記第１の間仕切パネル１ａ′における連結用ブロック１７′の連結作用部２５′と、それに装着されている連結金具３５′との隙間に嵌まった状態となる（図２１参照）。
【００６８】
そして、各間仕切パネル１ａ′，１ｂ′における上下両連結金具３５′，３５′が上下に浮き移動しないように、当該上下連結金具３５′，３５′と、縦端フレーム２０′内に上下に挿通するロッド３６′の上下端に固定された連結用雌ねじ部３７′とを、六角孔付きボルト３８′を介して締着するのである（図２１参照）。
【００６９】
前記姿勢では、第２の間仕切パネル１ｂ′に装着された上下両連結金具３５′，３５′の各鋸歯４４′が、第１の間仕切パネル１ａ′における第１連結作用部である歯面４７′に係合し、且つ各係合爪４５′も第２連結作用部である係合溝５０′に係合し、両間仕切パネル１ａ′，１ｂ′は平面視で１直線状のまま左右には屈曲しないで連結されるのである。
【００７０】
そして、この第２の実施の形態においても、前記第１の実施の形態と同様に、図１１（ａ）〜（ｄ) 、図１３（ａ）〜（ｃ）及び図１４（ａ）〜（ｄ）のような各種の連結形態に自在にできることはいうまでもない。
【００７１】
なお、この第２の実施の形態にように、連結用ブロック１７′における第２連結作用部である係合溝５０′の数を三個にすることにより、この係合溝５０′に嵌まる係合爪４５′を幅広にして、その強度を、前記係合溝の数を第１の実施の形態のように五個にする場合よりもアップできるから、両間仕切パネルの連結をより強固にできる利点がある。
【００７２】
そして、図２４及び図２５は、第３の実施の形態を示す。
【００７３】
この第３の実施の形態は、前記第２の実施の形態における構造の第１の間仕切パネル１ａ′と第２の間仕切パネル１ｂ′を連結するにおいて、前記第２の実施の形態のように、第２の間仕切パネル１ｂ′における各連結金具３５′の係合爪４５′を、第１の間仕切パネル１ａ′における連結用ブロック１７′の一つの係合溝５０′に係合することによって連結することに代えて、以下に述べるように、前記各連結金具３５′とは別体にした金属又は合成樹脂製の連結体５２を上下一対使用して、両間仕切パネル１ａ′，１ｂ′を、連結角度を自由に調節できるように連結するものである。
【００７４】
すなわち、前記連結体５２には、第１の間仕切パネル１ａ′における連結金具３５′の下面に縦軸線を中心として設けた円弧状溝３５ｂ′に円周方向に摺動自在に嵌まり係合する係合爪５２ａと、第２の間仕切パネル１ｂ′における連結金具３５′の下面に縦軸線を中心として設けた円弧状溝３５ｂ′に円周方向に摺動自在に嵌まり係合する係合爪５２ｂとを一体的に設けて、両間仕切パネル１ａ′，１ｂ′を、この上下一対の連結体５２を介して連結するように構成したものである。
【００７５】
この構成によると、両間仕切パネル１ａ′，１ｂ′を、前記上下一対の連結体５２を介して連結した状態で、換言すると、各連結金具３５′に対する六角孔付きボルト３８′の硬い締結を緩めることのない状態で、その連結角度を自由（フリー）に調節することができる。
【００７６】
また、この第３の実施の形態による連結を採用する場合には、第１の間仕切パネル１ａ′における連結金具３５′の外周面と、第２の間仕切パネル１ｂ′における連結金具３５′の外周面との両方に、互いに噛合する歯車部３５ｃ′を設ける。
【００７７】
このように、両間仕切パネル１ａ′，１ｂ′における連結金具３５′を歯車部３５ｃ′にて互いに噛合することにより、第２の間仕切パネル１ｂ′を、間仕切パネル１ａ′において上下の連結金具３５′を互いに連結するロッド３６′を中心にして、水平方向に回動する場合に、この第２の間仕切パネル１ｂ′の上部における回動を、前記歯車部３５ｃ′の噛合及びロッド３６′を介して当該間仕切パネル１ｂ′の下部における回動に伝えることができ、換言すると、前記第２の間仕切パネル１ｂ′の上部の回動に対して下部の回動が遅れ又は進んだりすることを防止して、上部と下部とを同時に同じ量づつ回動することができるから、両間仕切パネル１ａ′，１ｂ′の連結角度を変更する操作の容易化を図ることができるのである。
【００７８】
なお、この第３の実施の形態においては、連結金具３５′に、縦軸線を中心として円弧状溝３５ｂ′を設けて、これに連結体５２における係合爪５２ａ，５２ｂを摺動自在に嵌まり係合することに代えて、連結用ブロック１７′に、前記第１の実施の形態において述べたようと同様の円弧状溝を設けて、これに前記連結体５２における係合爪５２ａ，５２ｂを摺動自在に嵌まり係合するように構成しても良い。
【００７９】
ところで、前記した三つの各実施の形態の連結構成によると、前記したように、各間仕切パネルを、連結角度調節自在に連結できるから、図２６及び図び２７に示すように、二枚の間仕切パネル１，１を連結するか、或いは、図２８及び図２９に示すように、三枚の間仕切パネル１，１，１を連結して、これらを二つ又は三つ折りの屏風状に折り畳むように構成することができる（もちろん、同様にして四つ折り又は五つ折りの屏風状にすることができるのはいうまでもない）。
【００８０】
なお、このように屏風状に折り畳むように構成する場合には、前記間仕切パネル１の下面には、前記した両実施の形態のように、アジャスタボルト３４，３４′を設けることに代えて、キャスタ３４″を取付けて、床面上を移動式に構成することにより、折り畳みを容易にできるとともに、折り畳んだ状態での移動を容易にできる。
【００８１】
また、このように折り畳み式に構成する場合においては、図３０に示すように、連結した各間仕切パネル１のうち少なくとも一枚の間仕切パネル１の下部に、両端にキャスタ５３ａを備えた一対の脚体５３を取り付けることによって、床面に対して自立でき、且つ、この自立状板で自在に移動するように構成することができる。
【００８２】
特に、これらのように、折り畳み式に構成する場合には、前記第３の実施の形態による連結構造を採用することが好ましい。
【００８３】
そして、図３１〜図３５は、第４の実施の形態を示す。
【００８４】
この第４の実施の形態は、少なくとも二枚の間仕切パネル１ａ″，１ｂ″を、その間に中空のパイプ状に構成した連結杆５４を上下方向に延びるように配設して、この連結杆５４を対して前記と同様に連結するものである。
【００８５】
すなわち、前記両間仕切パネル１ａ″，１ｂ″の間に配設した前記連結杆５４上下両端に、連結用ブロック１７″を固着して、この両連結用ブロック１７″に、前記両間仕切パネル１ａ″，１ｂ″における連結金具３５′の係合爪４５′が着脱自在に嵌まる係合溝５０″の複数個（四個）を、円周方向に並べて設ける一方、前記連結杆５４内に上下に延びるように挿入したロッド３６″の両端における連結用雌ねじ部３７″に、連結金具３５″を六角孔付きボルト３８″にて締結することにより、前記両間仕切パネル１ａ″，１ｂ″における連結金具３５′の係合爪４５′が係合溝５０″に嵌まり係合した状態に保持するように構成したものである。
【００８６】
この第４の実施の形態のように、各間仕切パネルの連結に、連結杆５４を使用することにより、連結のバリエーションを、各間仕切パネルの相互間を直接的に連結する場合よりも拡大できるとともに、この連結杆５４を使用して図示のように、十字状又はＴ字状に連結した場合、この連結杆５４から各間仕切パネルの他端までの寸法を、同じに揃えることができる。
【００８７】
なお、この第４の実施の形態における連結杆５４を使用しての連結に、前記第３の実施の形態における連結体５２を使用した連結構造を採用することができることはいうまでもない。また、この第４の実施の形態における連結杆５４を使用しての連結を、前記図２６〜図３０に示す折り畳み式に適用することができる。
【００８８】
なお、前記第４の実施の形態における連結杆５４を使用しての連結に際して、前記第３の実施の形態における連結体５２を使用した連結構造を適用できることはいうまでもなく、また、この第４の実施の形態における連結杆５４を使用しての連結を、前記図２６〜図３０に示す折り畳み式の間仕切パネルに適用することができる。
【００８９】
【発明の効果】
上述のように、請求項１に記載の発明の間仕切パネルの連結装置は、各間仕切パネルの一側端の上下角部に固定された連結用ブロックと、この各連結用ブロックに着脱可能に取付けられる連結金具とにより、隣接する複数の間仕切パネルの一側端部同士を、その連結角度を変更可能に連結するよう構成してなる間仕切パネルの連結装置において、前記各連結金具には、水平方向に延びる１つのアーム部と、該アーム部から下向きに突出する係合爪及び逆円弧状の規制突起とからなる係合手段が設けられ、前記各連結用ブロックには、他方の間仕切パネルの縦軸線の回りに水平回動可能に装着された前記連結金具における前記係合手段の水平回動位置が選択的に係止できるようにする第２連結作用部と、前記一方の間仕切パネルに装着された連結金具の係合手段が嵌まり、且つこの連結金具におけるアーム部の向きが当該取付けられている間仕切パネルの幅内に位置して回動しないように規制する装着孔が設けられ、他方の間仕切パネルにおける連結用ブロックに装着された他方の連結金具のアーム部を前記一方の間仕切パネルにおける連結用ブロックに跨がらせ且つこのアーム部における係合手段が前記第２連結作用部に選択的に係止するように配置し、この一方の間仕切パネルにおける連結用ブロックと、これに装着されて前記装着孔に前記係合手段が嵌まって回動しないように規制された連結金具とで前記他方の連結金具のアーム部を挟持固定するように構成したものである。
【００９０】
従って、各間仕切パネルの一側端の上下角部に固定した連結用ブロックの先端部に、他方の連結金具を所定の向きにセットして係止し、この連結金具の係合手段を連接する一方、つまり相手側の連結用ブロックにおける第２連結作用部に係合させるのであるから、１種類の連結用ブロック及び連結金具を使用して、２つ乃至４つの間仕切パネルを、平面視で、直線状、Ｌ字状、Ｔ字状、Ｙ字状、十字状等に任意の連結角度に組み換え、連結できることになり、部品管理が簡単になるとともに、製造コストも低減できるという効果を奏する。
【００９１】
そして、前記係合手段は、連接する他方の連結用ブロックに基部が水平回動可能に装着された連結金具の一側から延び、且つ連結すべき一方の間仕切パネルの連結用ブロックに形成された第２連結作用部に跨がるようにしたアーム部の先端部に設けられているから、連結金具の形状をコンパクトにすることができる。その結果、連結に要する連結金具の回動半径も小さくできるという効果を奏する。
【００９２】
さらに、前記他方の連結金具のアーム部は、前記一方の間仕切パネルの連結用ブロックと、この間仕切パネルの内に位置して回動しないように規制されている一方の連結金具とで挟持固定されているから、連結部の強度が大きくなるという効果も奏する。
【００９３】
また、請求項２に記載の発明は、前記請求項１に記載の間仕切パネルの連結装置において、第２連結作用部に対して第１連結作用部は、これと同心状で半径内寄りに形成されており、第１連結作用部は、当該連結用ブロックに基部が水平回動可能に装着された連結金具の水平回動位置を選択的に係止できるように構成し、前記第２連結作用部は、連接する他方の連結用ブロックに基部が水平回動可能に装着された連結金具の係合手段が選択的に係止することにより両連結金具の水平連結位置を変更調節するように構成されているものである。
【００９４】
このように、第１連結作用部は、水平回動可能に装着された連結金具の基部寄り（半径内寄り）に配置され、第２連結作用部は、第１連結作用部よりも半径外寄りに配置されているので、連結金具の水平回動位置を選択的に係止しながら、相手側の連結用ブロックに装着された連結金具における係合手段が第２連結作用部に係止しても隣接する連結金具同士が互いに邪魔にならず、且つ隣接する間仕切パネルの連結角度を任意に調節して連結できる。しかも、上述のように両連結金具を水平連結位置で係止できるから、連結後に不用意に連結角度が変わらないという効果を奏する。
【００９５】
また、請求項３に記載の発明は、請求項１または２に記載の間仕切パネルの連結装置において、前記上下両連結金具は、間仕切パネルの一側縦縁に沿って配置されている連動手段を介して一体的に水平回動するように構成されていることを特徴とするものである。
【００９６】
このように構成すれば、請求項１または２に記載の発明の効果に加えて、上下連結金具のうちいずれか一方の連結金具の水平回動位置を調節するだけで、上下両連結金具を同時に調節できて、調節作業が至極簡単になるという効果を奏する。
【００９７】
さらに、請求項４に記載の発明は、請求項３に記載の間仕切パネルの連結装置において、前記連動手段は、前記連動手段は、前記上下両連結金具を、前記上下両連結用ブロックにおける第１連結作用部及び第２連結作用部の両方に係合する高さと、第１連結作用部との係合が外れ且つ第２連結作用部にのみ係合する高さと、第１連結作用部及び第２連結作用部の両方の係合が外れる高さとに選択的に高さ位置変更可能に構成されているものであるから、連結金具が装着されている連結用ブロックに対する水平回動位置の調節作業と、該連結金具における係合手段が係止する相手側の連結用ブロックに対する水平回動位置の調節作業とを、連結金具の高さを変えるだけで選択的に実行でき、連結角度の調節作業が至極容易になるという効果を奏する。
【００９８】
請求項５に記載の発明は、請求項１乃至４のいずれかに記載の間仕切パネルの連結装置において、前記隣接する間仕切パネルの間に縦方向に延びるように配設された連結杆の両端に、連結用ブロックが固定され、この連結杆における各連結用ブロックに、前記連結金具における係合手段が嵌まり係合する係合部が、縦軸線の回りに複数個設けられていることを特徴とするもので、これにより、連結のバリエーションを、各間仕切パネルの相互間を直接的に連結する場合よりも拡大することができるとともに、この連結杆を使用して十字状又はＴ字状に連結した場合に、この連結杆から各間仕切パネルの他端までの寸法を、同じに揃えることができる利点がある。
【００９９】
次に、請求項６に記載の発明の間仕切パネルの連結装置は、各間仕切パネルの一側端の上下角部に固定された連結用ブロックと、この各連結用ブロックに着脱可能に取付けられる連結金具と、前記隣接する間仕切パネルに跨がって配置される連結体とにより、隣接する複数の間仕切パネルの一側端部同士を、その連結角度を変更可能に連結するよう構成してなる間仕切パネルの連結装置において、前記各連結金具には、水平方向に延びる１つのアーム部と、該アーム部から下向きに突出する係合爪及び逆円弧状の規制突起とからなる係合手段が設けられ、前記各連結用ブロックには、前記各間仕切パネルに装着された連結金具の係合手段が嵌まり、且つこの連結金具におけるアーム部の向きが当該取付けられている間仕切パネルの幅内に位置して回動しないように規制する装着孔が設けられ、前記連結体には、前記隣接する両間仕切パネルの連結用ブロック又は両連結金具に縦軸線を中心とするように形成された円弧状溝に摺動自在に嵌まり係合する一対の係合爪が一体的に設けられ、前記隣接する両間仕切パネルにおける連結用ブロックと、これに装着されて前記装着孔に前記係合手段が嵌まって回動しないように規制された連結金具とで、前記連結体における一対の係合爪を挟持固定するように構成したものである。
【０１００】
従って、この連結体を使用して連結した場合には、前記連結体には、前記隣接する両間仕切パネルの連結用ブロック又は両連結金具に縦軸線を中心とするように形成された円弧状溝に摺動自在に嵌まり係合する一対の係合爪が一体的に設けられているから、各間仕切パネルの連結角度を、自由に調節することができると共に、前記隣接する間仕切パネルにおける連結用ブロックと、これに装着されて前記装着孔に前記係合手段が嵌まって回動しないように規制された連結金具とで、前記連結体における一対の係合爪を挟持固定するので、連結強度が大きくなるという効果を奏する。
【０１０１】
特に、請求項７においては、前記各連結金具の外周に、隣接する間仕切パネル間で互いに噛合する歯車部を設け、各間仕切パネルの上下における連結金具の相互間を、互いに連動して回転するように連結することにより、間仕切パネルの上部と下部とを同時に同じ量づつ回動することができるから、各間仕切パネルの連結角度を自由に変更する操作の容易化を図ることができる。
【図面の簡単な説明】
【図１】第１の実施の形態による間仕切パネルの斜視図である。
【図２】パネル要素を連結状態のパネル要素等の一部切欠き斜視図である。
【図３】間仕切パネル装置の一部切欠き縦断面図である。
【図４】図３のIV−IV視断面図である。
【図５】図３のＶ−Ｖ視断面図である。
【図６】図３のVI−VI視断面図である。
【図７】第１の実施の形態における分解図である。
【図８】図７の VIII −VIII視断面図である。
【図９】図７のIX−IX視底面図である。
【図１０】第１の実施の形態における連結状態を示す一部切欠断面図である。
【図１１】（ａ）は２つの間仕切パネルを直線状に連結した場合の要部平面図、（ｂ）は２つの間仕切パネルを平面視Ｌ字状に連結した場合の要部平面図、（ｃ）は同じく平面視Ｌ字状に連結した変形例の要部平面図、（ｄ）は平面視Ｌ字状に連結して連結角度を大きくした変形例の要部平面図である。
【図１２】連結角度等を調節するために連結金具の高さ位置を変更した状態の要部断面図である。
【図１３】（ａ）は３つの間仕切パネルを平面視Ｔ字状に連結した場合の要部平面図、（ｂ）は３つの間仕切パネルを平面視Ｙ字状に連結した場合の要部平面図、（ｃ）は同じく平面視Ｔ字状に連結した変形例の要部平面図である。
【図１４】（ａ）〜（ｄ）はおのおの４つの間仕切パネルを平面視十字状に連結した場合を示し、（ａ）は連結金具が略Ｚ字状に配列されている場合の要部平面図、（ｂ）は連結金具が直線状に配列されている場合の要部平面図、（ｃ）は連結金具が略４花弁状に配列されている場合の要部平面図、（ｄ）は連結金具がＴ字状状に配列されている場合の要部平面図である。
【図１５】第２の実施の形態による間仕切パネルの一部切欠り縦断正面図である。
【図１６】図１５のXVI −XVI 視断面図である。
【図１７】図１５のXVII−XVII視断面図である。
【図１８】第２の実施の形態における分解図である。
【図１９】図１８のXIX −XIX 視断面図である。
【図２０】図１８のXX−XX視底面図である。
【図２１】第２の実施の形態における連結状態を示す一部切欠断面図である。
【図２２】図２１のXXII−XXII視断面図である。
【図２３】図２１のXXIII −XXIII 視断面図である。
【図２４】第３の実施の形態における連結状態を示す一部切欠断面図である。
【図２５】図２４の拡大平面図である。
【図２６】二連の折り畳み式にしたときの正面図である。
【図２７】図２６の平面図である。
【図２８】三連の折り畳み式にしたときの正面図である。
【図２９】図２８の平面図である。
【図３０】自立移動式にしたときの斜視図である。
【図３１】第３の実施の形態における平面図である。
【図３２】図３１のXXXII −XXXII 視断面図である。
【図３３】第３の実施の形態における分解図である。
【図３４】図３３のXXXIV −XXXIV 視断面図である。
【図３５】図３３のXXXV−XXXV視平面図である。
【符号の説明】
１，１ａ，１ｂ，１ａ′，１ｂ′，１ａ″，１ｂ″      間仕切パネル
２ａ，２ｂ                    パネル要素
３                            表面板
４                            芯材
１０                          アクリル樹脂板
１６                          笠木
１７，１７′，１７″          連結用ブロック
１９                          巾木
２０                          縦端フレーム
２１                          突条
２５                          連結作用部
３５，３５′，３５″          連結金具
３６，３６′，３７″          ロッド
３７，３７′，３７″          連結用雌ねじ部
３８，３８′，３８″          六角孔付きボルト
４３                          基部円筒
４４                          鋸歯
４５，４５′                  係合爪
４６                          嵌挿孔
４７                          歯面
４８                          規制突起
４９                          円弧状溝
５０，５０′，５０″          係合溝
５１                          装着孔
５２                          連結体
５２ａ，５２ｂ                係合爪
５４                          連結杆
【図１】
0003628610.tif 000002
【図２】
0003628610.tif 000003
【図３】
0003628610.tif 000004
【図４】
0003628610.tif 000005
【図５】
0003628610.tif 000006
【図６】
0003628610.tif 000007
【図７】
0003628610.tif 000008
【図８】
0003628610.tif 000009
【図９】
0003628610.tif 000010
【図１０】
0003628610.tif 000011
【図１１】
0003628610.tif 000012
【図１２】
0003628610.tif 000013
【図１３】
0003628610.tif 000014
【図１４】
0003628610.tif 000015
【図１５】
0003628610.tif 000016
【図１６】
0003628610.tif 000017
【図１７】
0003628610.tif 000018
【図１８】
0003628610.tif 000019
【図１９】
0003628610.tif 000020
【図２０】
0003628610.tif 000021
【図２１】
0003628610.tif 000022
【図２２】
0003628610.tif 000023
【図２３】
0003628610.tif 000024
【図２４】
0003628610.tif 000025
【図２５】
0003628610.tif 000026
【図２６】
0003628610.tif 000027
【図２７】
0003628610.tif 000028
【図２８】
0003628610.tif 000029
【図２９】
0003628610.tif 000030
【図３０】
0003628610.tif 000031
【図３１】
0003628610.tif 000032
【図３２】
0003628610.tif 000033
【図３３】
0003628610.tif 000034
【図３４】
0003628610.tif 000035
【図３５】
0003628610.tif 000036